(57)【要約】【課題】  ＬＡＧリンクのマルチキャストフローの下流側端点において、ＬＡＧメンバリンクのサイレント故障を高速（１秒以内程度）かつ確実に検出して高速に当該マルチキャストフローの経路切替を動作させる。【解決手段】  ＬＡＧリンクのマルチキャストフロー下流側端点の装置において、特定の（Ｓ，Ｇ）のマルチキャストフローの断を直接的または間接的に検出し、同フロー断検出を契機として当該マルチキャストフローに関するマルチキャストルーティングテーブル上のマルチキャスト受信インタフェースとマルチキャスト上流ネイバーアドレスの値を直接的または間接的に変更することにより、当該フローの経路切替を動作させる。【選択図】  図１
2011049703.tif 000002
【特許請求の範囲】
【請求項１】
IEEE 802.3ad標準等に代表されるＩＰネットワーク上のリンクアグリゲーション（以下、ＬＡＧと記す）技術を用いて集約したＬＡＧリンクを用いて、デジタル放送のＩＰ再通信のような、高い信頼性を要求される常時配信のマルチキャストフローを転送する場合に対応したマルチキャスト経路切替処理方法であって、
ＬＡＧリンクのマルチキャストフロー下流側端点の装置において、
特定の（Ｓ（Source address），Ｇ(Group address)）のマルチキャストフローの断を直接的または間接的に検出し、
同フロー断検出を契機として当該フローに関するマルチキャストルーティングテーブル上のマルチキャスト受信インタフェース（以下、受信ＩＦと記す）とマルチキャスト上流ネイバーアドレス（以下、ネクストネイバーと記す）の値を直接的または間接的に変更することにより、当該フローの経路切替を動作させる
ことを特徴とするマルチキャスト経路切替方法。
【請求項２】
特定の事前指定した（Ｓ，Ｇ）のマルチキャストフローのみの断を直接検出し、
同フロー断検出を契機として当該フローのみに関する受信ＩＦとネクストネイバーの値を事前指定の値に直接変更する
ことを特徴とする請求項１に記載のマルチキャスト経路切替方法。
【請求項３】
特定の（Ｓ，Ｇ）のマルチキャストのパケットとそれ以外のパケット（マルチキャストパケット及びユニキャストパケット）の全体のパケット数をカウントしてパケット導通断を検出し、
同パケット導通断検出を契機として当該ＬＡＧを閉塞し、ユニキャスト経路切替を誘導し、当該ＬＡＧインタフェースを受信ＩＦとしていた全ての（Ｓ，Ｇ）のマルチキャストフローに関する受信ＩＦとネクストネイバーの値の変更を誘導する
ことを特徴とする請求項１記載のマルチキャスト経路切替方法。
【請求項４】
IEEE 802.3ad標準等に代表されるＩＰネットワーク上のＬＡＧ技術を用いて集約したＬＡＧリンクを用いて、デジタル放送のＩＰ再送信のような、高い信頼性を要求される常時配信のマルチキャストフローを転送する場合に対応したマルチキャスト経路切替装置であって、
ＬＡＧリンクのマルチキャストフロー下流側端点の装置であって、
特定の（Ｓ，Ｇ）のマルチキャストフローの断を直接的または間接的に検出するマルチキャストフロー断検出手段と、
同検出手段によるフロー断検出を契機として当該フローに関するマルチキャストルーティングテーブル上の受信ＩＦとネクストネイバーの値を直接的または間接的に変更することにより、当該フローの経路切替を動作させるマルチキャストルーティングテーブル変更処理手段とを有することを特徴とするマルチキャスト経路切替装置。
【請求項５】
特定の事前指定した（Ｓ，Ｇ）のマルチキャストフローのみの断を直接検出するマルチキャストフロー断検出手段と、
同検出手段によるフロー断検出を契機として当該フローのみに関する受信ＩＦとネクストネイバーの値を事前指定の値に直接変更するマルチキャストルーティングテーブル変更処理手段とを有することを特徴とする請求項４に記載のマルチキャスト経路切替装置。
【請求項６】
特定の（Ｓ，Ｇ）のマルチキャストのパケットとそれ以外のパケット（マルチキャストパケット及びユニキャストパケット）の全体のパケット数をカウントしてパケット導通断を検出するパケット導通断検出手段と、
同検出手段によるパケット導通断検出を契機として当該ＬＡＧを閉塞し、ユニキャスト経路切替を誘導し、当該ＬＡＧインタフェースを受信ＩＦとしていた全ての（Ｓ，Ｇ）のマルチキャストフローに関する受信ＩＦとネクストネイバーの値の変更を誘導する手段とを有することを特徴とする請求項４記載のマルチキャスト経路切替装置。
【請求項７】
請求項４または５または６のいずれか１項に記載のマルチキャスト経路切替装置を構成する手段としてコンピュータを機能させるためのマルチキャスト経路切替プログラム。
【発明の詳細な説明】
【技術分野】
【０００１】
本発明は、マルチキャスト経路切替方法及び装置及びプログラムに係り、特に、IEEE802.3ad標準等に代表されるＩＰネットワーク上のリンクアグリゲーション（以下、ＬＡＧと記す）技術を用いて集約したＬＡＧリンクを用いて、デジタル放送のＩＰ再送信のような、高い信頼性を要求される常時配信のマルチキャストフローを転送する場合に、ＬＡＧリンクのマルチキャストフロー下流側端点において、ＬＡＧメンバリンクのサイレント故障を高速（1秒以内程度）かつ確実に検出して高速に当該マルチキャストフローの経路切替を動作させるためのマルチキャスト経路切替技術に関する。
【背景技術】
【０００２】
以下、従来のＬＡＧリンクを用いたマルチキャストフロー転送について説明する。
【０００３】
図９は、従来のＬＡＧリンクを用いたマルチキャストフロー転送を示す図であり、ルータ間でEther ＬＡＧが構成され、そのＬＡＧリンク上でマルチキャストフローが転送されている場合を例示する。
【０００４】
ＬＡＧの分配機構により、マルチキャストフローは（Ｓ（Source address），Ｇ(Group address)）毎に特定のＬＡＧメンバリンクのみに転送される。そして、Ether ＬＡＧの場合、ＬＡＧリンク両端の装置（ルータ１とルータ２）間でＬＡＣＰ（Link Aggregation Control Protocol）パケットを交換することにより、ＬＡＧメンバリンク故障発生の検知とそれに基づくＬＡＧ再構成等が可能（例えば、非特許文献１参照）であり、同ＬＡＣＰを用いて、マルチキャストフローが転送されるどのＬＡＧメンバリンクにサイレント故障（リンクの両端のルータでリンク断（光入力断）が検出されないような故障）が発生しても、同故障を確実に検出することができる。
【０００５】
但し、この場合、ＬＡＣＰによるＬＡＧメンバリンク故障検出時間は最短でも3秒までである。また、ＬＡＣＰよりも高速にＬＡＧメンバリンク故障を検知するために、別途、ＩＣＭＰ（Internet Control Message Protocol）ポーリング等を用いてＬＡＧメンバリンク故障を検知することにしたとしても、特定フローに属するパケットは特定の一つのメンバリンクにのみ転送されるというＬＡＧ転送の特性により、ＬＡＧメンバリンクのサイレント故障を確実に検出できるとは限らなくなる。
【先行技術文献】
【非特許文献】
【０００６】
【非特許文献１】Rich Seifert, "ＬＡＮスイッチング徹底解説"、日経ＢＰ社（２００１年）p335-381
【発明の概要】
【発明が解決しようとする課題】
【０００７】
デジタル放送のＩＰ再送信のような、高信頼性を要求されるマルチキャスト配信においては、配信経路上で故障（リンク故障等）が発生した場合、1秒以内というような極力短い断時間でマルチキャスト配信を復旧させ、継続させることが要求される。図１２に示す方式は、そのような要求条件を満たす方式の一つであり、高信頼マルチキャストフローを配信サーバ１０から二経路（配信サーバ→ルータ１→ルータ３、配信サーバ→ルータ２→ルータ３）で常時配信し、ルータ１とルータ３の間のリンクにサイレント故障が発生した場合に、ルータ３（マルチキャストフロー下流側ルータ）で同故障を検出して配信サーバ（即ちマルチキャストソース）方向の上りstatic経路（ユニキャスト経路）を切り替え、その結果として、マルチキャスト受信インタフェースとマルチキャスト上流ネイバーアドレスの変更を誘導する方式である。ここで、ルータ１とルータ３の間のリンクが単リンクである場合には、同リンクのサイレント故障をＩＣＭＰポーリング等により１秒以内で確実に検出し、マルチキャストフローの断時間を1秒以内に抑えてマルチキャストフローの経路切替が動作するようにすることができる。ところが、ルータ１とルータ３の間のリンクがＬＡＧリンクである場合には、
１）ＬＡＧ制御プロトコル（Ether ＬＡＧ実装の場合はＬＡＣＰ）を用いた場合、図１０に示すように、マルチキャストフローが転送されるＬＡＧメンバリンクのサイレント故障を確実に検出可能であるが、検出時間が最短でも３秒までであり、検出時間を３秒未満に高速化できない、即ち、ＬＡＧメンバリンクのサイレント故障の場合にマルチキャストフローの断時間を1秒以内に抑えてマルチキャストフローの経路切替が動作するようにすることができない（第1の課題）；
２）ＩＣＭＰポーリング等を用いた場合、ＬＡＧメンバリンクのサイレント故障をＬＡＣＰよりも高速に検出可能であるが、図１１に示すように、ポーリングパケットが、サイレント故障が発生したＬＡＧメンバリンクを必ずしも通過しない可能性があり、マルチキャストフローが転送されるＬＡＧメンバリンクのサイレント故障を確実には検出できない、即ち、ＬＡＧメンバリンクのサイレント故障の場合に確実にはマルチキャストフローの経路切替が動作するようにすることができない（第２の課題）；
という課題を有している。
【０００８】
本発明は、上記の点に鑑みなされたもので、ＬＡＧリンクを用いて、デジタル放送のＩＰ再送信のような、高い信頼性を要求される常時配信のマルチキャストフローを転送する場合に、ＬＡＧリンクのマルチキャストフロー下流側端点において、ＬＡＧメンバリンクのサイレント故障を高速（１秒以内程度）かつ確実に検出して高速に当該マルチキャストフローの経路切替を動作させるマルチキャスト経路切替方法及び装置及びプログラムを提供することを目的とする。
【課題を解決するための手段】
【０００９】
図１は、本発明の原理を説明するための図である。
【００１０】
本発明（請求項１）は、前述の第1の課題、第２の課題を解決するために、IEEE 802.3ad標準等に代表されるＩＰネットワーク上のＬＡＧ技術を用いて集約したＬＡＧリンクを用いて、デジタル放送のＩＰ再通信のような、高い信頼性を要求される常時配信のマルチキャストフローを転送する場合に対応したマルチキャスト経路切替方法であって、
ＬＡＧリンクのマルチキャストフロー下流側端点の装置において、
特定の（Ｓ，Ｇ）のマルチキャストフローの断を直接的または間接的に検出し（ステップ１）、
同フロー断検出を契機として当該マルチキャストフローに関するマルチキャストルーティングテーブル上のマルチキャスト受信インタフェース（以下、受信ＩＦと記す）とマルチキャスト上流ネイバーアドレス（以下、ネクストネイバーと記す）の値を直接的または間接的に変更する（ステップ２）ことにより、当該フローの経路切替を動作させる（ステップ３）マルチキャスト経路切替方法である。
【００１１】
本発明（請求項２）は、前述の第1の課題、第２の課題を解決するために、請求項１に記載のマルチキャスト経路切替方法において、
特定の事前指定した（Ｓ，Ｇ）のマルチキャストフローのみの断を直接検出し、
同フロー断検出を契機として当該フローのみに関する受信ＩＦとネクストネイバーの値を事前指定の値に直接変更するマルチキャスト経路切替方法である。
【００１２】
本発明（請求項３）は、前述の第1の課題、第２の課題を解決するために、請求項１記載のマルチキャスト経路切替方法において、
特定の（Ｓ，Ｇ）のマルチキャストのパケットとそれ以外のパケット（マルチキャストパケット及びユニキャストパケット）の全体のパケット数をカウント（即ち、（Ｓ，Ｇ）を事前指定する必要はない）してパケット導通断を検出し、
同パケット導通断検出を契機として当該ＬＡＧを閉塞し、ユニキャスト経路切替を誘導し、当該ＬＡＧインタフェースを受信ＩＦとしていた全ての（Ｓ，Ｇ）のマルチキャストフローに関する受信ＩＦとネクストネイバーの値の変更を誘導するマルチキャスト経路切替方法である。
【００１３】
図２は本発明の原理構成図である。
【００１４】
本発明（請求項４）は、前述の第1の課題、第２の課題を解決するために、IEEE 802.3ad標準等に代表されるＩＰネットワーク上のＬＡＧ技術を用いて集約したＬＡＧリンクを用いて、デジタル放送のＩＰ再送信のような、高い信頼性を要求される常時配信のマルチキャストフローを転送する場合に対応したマルチキャスト経路切替装置であって、
ＬＡＧリンクのマルチキャストフロー下流側端点の装置であって、
特定の（Ｓ，Ｇ）のマルチキャストフローの断を直接的または間接的に検出するマルチキャストフロー断検出手段２１０と、
同検出手段２１０によるフロー断検出を契機として当該フローに関するマルチキャストルーティングテーブル２４０上の受信ＩＦとネクストネイバーの値を直接的または間接的に変更することにより、当該フローの経路切替を動作させるマルチキャストルーティングテーブル変更処理手段２３０とを有するマルチキャスト経路切替装置である。
【００１５】
本発明（請求項５）は、前述の第1の課題、第2の課題を解決するために、請求項４に記載のマルチキャスト経路切替装置において、
特定の事前指定した（Ｓ，Ｇ）のマルチキャストフローのみの断を直接検出する手段と、
同検出手段によるフロー断検出を契機として当該フローのみに関する受信ＩＦとネクストネイバーの値を事前指定の値に直接変更するマルチキャストルーティングテーブル変更処理手段とを有するマルチキャスト経路切替装置である。
本発明（請求項６）は、前述の第1の課題、第２の課題を解決するために、請求項４に記載のマルチキャスト経路切替装置において、
特定の（Ｓ，Ｇ）のマルチキャストのパケットとそれ以外のパケット（マルチキャストパケット及びユニキャストパケット）の全体のパケット数をカウント（即ち、（Ｓ，Ｇ）を事前指定する必要はない）してパケット導通断を検出する手段と、
同検出手段によるパケット導通断検出を契機として当該ＬＡＧを閉塞し、ユニキャスト経路切替を誘導し、当該ＬＡＧインタフェースを受信ＩＦとしていた全ての（Ｓ，Ｇ）のマルチキャストフローに関する受信ＩＦとネクストネイバーの値の変更を誘導する手段とを有するマルチキャスト経路切替装置である。
【００１６】
本発明（請求項７）は、請求項４または５または６のいずれか1項に記載のマルチキャスト経路切替装置を構成する手段としてコンピュータを機能させるためのマルチキャスト経路切替プログラムである。
【発明の効果】
【００１７】
本発明を用いることにより、ＬＡＧリンクを用いて、デジタル放送のＩＰ再送信のような、高い信頼性を要求される常時配信のマルチキャストフローを転送する場合に、ＬＡＧリンクのマルチキャストフロー下流側端点において、ＬＡＧメンバリンクのサイレント故障を高速（１秒以内程度）かつ確実に検出して、高速に当該マルチキャストフローの経路切替を動作させることが可能となる。
【図面の簡単な説明】
【００１８】
【図１】本発明の原理を説明するための構成図である。
【図２】本発明の原理構成図である。
【図３】本発明の第１の実施の形態におけるルータの構成図である。
【図４】本発明の第１の実施の形態における処理のシーケンスチャートである。
【図５】本発明の第１の実施の形態におけるマルチキャストルーティングテーブルの変更処理を示す図である。
【図６】本発明の第２の実施の形態におけるルータの構成図である。
【図７】本発明の第２の実施の形態における処理のシーケンスチャートである。
【図８】本発明の第２の実施の形態におけるマルチキャストルーティングテーブルの変更処理を示す図である。
【図９】従来のＬＡＧリンクを用いたマルチキャストフロー転送を示す図である。
【図１０】ＬＡＣＰによるＬＡＧメンバリンクのサイレント故障検出の高速化の課題を説明するための図である。
【図１１】ＩＣＭＰポーリング等によるＬＡＧメンバリンクのサイレント故障検出の確度の課題を説明するための図である。
【図１２】単リンクを用いて高信頼マルチキャストフローを転送する場合を説明するための図である。
【発明を実施するための形態】
【００１９】
以下、図面と共に本発明の実施の形態を説明する。
【００２０】
［第１の実施の形態］
図３は、本発明の第１の実施の形態におけるルータの構成図である。
【００２１】
同図は、ＬＡＧリンクのマルチキャストフロー上流側端点のルータ１００、ＬＡＧリンクのマルチキャストフロー下流側端点のルータ２００、およびルータ１００とルータ２００を接続するＬＡＧリンクから構成されるシステムを示す。
【００２２】
ルータ１００は、マルチキャストフロー断監視制御部１１０と、複数のインタフェース部１２１を有するＬＡＧ処理部１２０を有する。
【００２３】
ルータ２００は、マルチキャストフロー断監視部２１０と、複数のインタフェース部２２１を有するＬＡＧ処理部２２０と、マルチキャストルーティングテーブル変更処理部２３０と、マルチキャストルーティングテーブル２４０と、マルチキャストルーティング処理部２５０と、ユニキャストルーティング処理部２６０と、ユニキャストルーティングテーブル２７０を有する。なお、マルチキャストルーティングテーブル２４０とユニキャストルーティングテーブル２７０は、ルータ２００内のメモリ等の記憶手段に格納されているものとする。
【００２４】
次に、上記の構成における動作を説明する。
【００２５】
図４は、本発明の第１の実施の形態における処理のシーケンスチャートであり、図５は、本発明の第１の実施の形態におけるマルチキャストルーティングテーブルの変更処理を示す図である。
【００２６】
まず、ルータ１００のマルチキャストフロー断監視制御部１１０は、特定の（Ｓ，Ｇ）の常時配信マルチキャストフローの配信開始を契機として、ＬＡＧ処理部１２０を介してルータ２００に対して、同（Ｓ，Ｇ）のマルチキャストフローの断監視の開始を指示する（ステップ１０１）。次に、ルータ２００のマルチキャストフロー断監視部２１０は、ＬＡＧ処理部２２０を介して、ルータ１００からのマルチキャストフロー断監視開始指示を取得すると、当該（Ｓ，Ｇ）のマルチキャストフローの断監視を開始し、ＬＡＧ処理部２２０のインタフェース部２２１から受信される当該（Ｓ，Ｇ）のマルチキャストパケットの数を定期的に監視し（ステップ１０２）、マルチキャストフロー断を検出する（ステップ１０３）と、当該マルチキャストフローの（Ｓ，Ｇ）と新たに採用すべき事前指定のマルチキャスト受信インタフェースとマルチキャスト上流ネイバーアドレスの情報をマルチキャストルーティングテーブル変更処理部２３０に通知する。すると、マルチキャストルーティングテーブル変更処理部２３０は、マルチキャストルーティングテーブル２４０上の当該（Ｓ，Ｇ）のみに関するマルチキャスト受信インタフェースとマルチキャスト上流ネイバーアドレスの値を事前指定の値に直接変更する（ステップ１０４）。ここで、事前指定の形式は、ルータ１００において事前設定しておいてフロー断監視開始指示に含めてルータ２００に通知しても、ルータ２００において事前設定しておいてもよい。図５の例では、マルチキャストフロー断監視の結果により、マルチキャストルーティングテーブル２４０上の特定の（Ｓ，Ｇ）の受信インタフェースとマルチキャスト上流ネイバーアドレスの値が直接変更される様子を示している。
【００２７】
以降、ルータ１００のマルチキャストフロー断監視制御部１１０は、当該（Ｓ，Ｇ）の常時配信マルチキャストフローの配信終了を契機として、ＬＡＧ処理部１２０を介してルータ２００に対して、同（Ｓ，Ｇ）のマルチキャストフローの断監視の終了を指示する（ステップ１０５）。すると、ルータ２００のマルチキャストフロー断監視部２１０は、ＬＡＧ処理部２２０を介して、ルータ１００からのマルチキャストフロー断監視終了指示を取得し、当該（Ｓ，Ｇ）のマルチキャストフローの断監視を終了する（ステップ１０６）。
【００２８】
［第２の実施の形態］
図６は、本発明の第２の実施の形態におけるルータの構成図である。
【００２９】
同図は、ＬＡＧリンクのマルチキャストフロー上流側端点のルータ３００、ＬＡＧリンクのマルチキャストフロー下流側端点のルータ４００、およびルータ３００とルータ４００を接続するＬＡＧリンクから構成されるシステムを示す。
【００３０】
ルータ３００は、マルチキャストフロー断監視制御部３１０と、複数のインタフェース部３２１を有するＬＡＧ処理部３２０を有する。
【００３１】
ルータ４００は、ＩＰパケット導通断監視部４１０と、複数のインタフェース部４２１を有するＬＡＧ処理部４２０と、ＬＡＧ閉塞処理部４３０と、マルチキャストルーティングテーブル４４０と、マルチキャストルーティング処理部４５０と、ユニキャストルーティング処理部４６０と、ユニキャストルーティングテーブル４７０を有する。なお、マルチキャストルーティングテーブル４４０とユニキャストルーティングテーブル４７０は、ルータ４００内のメモリ等の記憶手段に格納されているものとする。
【００３２】
次に、上記の構成における動作を説明する。
【００３３】
図７は、本発明の第２の実施の形態における処理のシーケンスチャートであり、図８は、本発明の第２の実施の形態におけるマルチキャストルーティングテーブルの変更処理を示す図である。
【００３４】
まず、ルータ３００のマルチキャストフロー断監視制御部３１０は、特定の（Ｓ，Ｇ）の常時配信のマルチキャストフローの配信開始を契機として、ＬＡＧ処理部３２０を介して、ルータ４００に対して、ＩＰパケットの導通断監視の開始を指示する（ステップ２０１）。次に、ルータ４００のＩＰパケット導通断監視部４１０は、ＬＡＧ処理部４２０を介して、ルータ３００からのＩＰパケット導通断監視開始指示を取得すると、ＩＰパケットの導通断監視を開始し、ＬＡＧ処理部４２０のインタフェース部４２１から受信されるＩＰパケットの数（マルチキャストパケット及びユニキャストパケットの全体のパケット数）を定期的に監視し（ステップ２０２）、受信ＩＰパケット断を検出する（ステップ２０３）と、当該ＬＡＧの情報をＬＡＧ閉塞処理部４３０に通知する。すると、ＬＡＧ閉塞処理部４３０は、当該ＬＡＧを閉塞し（ステップ２０４）、それによって、まず、ユニキャストルーティング処理部４６０が、ユニキャストルーティングテーブル４７０上の、当該ＬＡＧインタフェースを経由インタフェースとする経路エントリの経由インタフェース及びネクストホップアドレスの値を変更し（ステップ２０５）、その結果、配信サーバ（即ちマルチキャストソース）方向の上りユニキャスト経路が切り替わることとなる。すると、マルチキャストルーティング処理部４５０が、マルチキャストルーティングテーブル４４０上の、当該ＬＡＧインタフェースをマルチキャスト受信インタフェースとする経路エントリのマルチキャスト受信インタフェースとマルチキャスト上流ネイバーアドレスの値を変更し（ステップ２０６）、その結果、当該ＬＡＧインタフェースをマルチキャスト受信インタフェースとするマルチキャストフローの経路が切り替わることとなる。図８の例では、ＩＰパケット導通断監視の結果により、当該ＬＡＧが閉塞され、ユニキャストルーティングテーブル４７０が変更され、最終的にマルチキャストルーティングテーブル４４０が変更される様子を示している。
【００３５】
以降、ルータ３００のマルチキャストフロー断監視制御部３１０は、当該（Ｓ，Ｇ）の常時配信マルチキャストフローの配信終了を契機として、ＬＡＧ処理部３２０を介してルータ４００に対して、ＩＰパケットの導通断監視の終了を指示する（ステップ２０７）。すると、ルータ４００のＩＰパケット導通断監視部４１０は、ＬＡＧ処理部４２０を介して、ルータ３００からのＩＰパケット導通断監視終了指示を取得し、ＩＰパケットの導通断監視を終了する（ステップ２０８）。
【００３６】
なお、上記の第１、第２の実施の形態のルータの構成要素の動作をプログラムとして構築し、ＬＡＧリンクの端点のルータとして機能するコンピュータにインストールして実行させる、または、ネットワークを介して流通させることが可能である。
【００３７】
また、構築されたプログラムをハードディスクや、フレキシブルディスク・ＣＤ−ＲＯＭ等の可搬記憶媒体に格納し、コンピュータにインストールする、または、配布することが可能である。
【００３８】
なお、本発明は、上記の実施の形態に限定されることなく、特許請求の範囲内において種々変更・応用が可能である。
【符号の説明】
【００３９】
１、２、３  ルータ
１０  配信サーバ
１００  ＬＡＧリンクのマルチキャストフロー上流側端点の装置、ＬＡＧリンクのマルチキャストフロー上流側端点のルータ
１１０  マルチキャストフロー断監視制御部
１２０  ＬＡＧ処理手段、ＬＡＧ処理部
１２１  インタフェース部
２００  ＬＡＧリンクのマルチキャストフローの下流側端点の装置、ＬＡＧリンクのマルチキャストフローの下流側端点のルータ
２１０  マルチキャストフロー断検出手段、マルチキャストフロー断監視部
２２０  ＬＡＧ処理手段、ＬＡＧ処理部
２２１  インタフェース部
２３０  マルチキャストルーティングテーブル変更処理手段、マルチキャストルーティングテーブル変更処理部
２４０  マルチキャストルーティングテーブル
２５０  マルチキャストルーティング処理部
２６０  ユニキャストルーティング処理部
２７０  ユニキャストルーティングテーブル
３００  ＬＡＧリンクのマルチキャストフロー上流側端点のルータ
３１０  マルチキャストフロー断監視制御部
３２０  ＬＡＧ処理手段、ＬＡＧ処理部
３２１  インタフェース部
４００  ＬＡＧリンクのマルチキャストフロー下流側端点のルータ
４１０  ＩＰパケット導通断監視部
４２０  ＬＡＧ処理手段、ＬＡＧ処理部
４２１  インタフェース部
４３０  ＬＡＧ閉塞処理部
４４０  マルチキャストルーティングテーブル
４５０  マルチキャストルーティング処理部
４６０  ユニキャストルーティング処理部
４７０  ユニキャストルーティングテーブル
【図１】
2011049703.tif 000003
【図２】
2011049703.tif 000004
【図３】
2011049703.tif 000005
【図４】
2011049703.tif 000006
【図５】
2011049703.tif 000007
【図６】
2011049703.tif 000008
【図７】
2011049703.tif 000009
【図８】
2011049703.tif 000010
【図９】
2011049703.tif 000011
【図１０】
2011049703.tif 000012
【図１１】
2011049703.tif 000013
【図１２】
2011049703.tif 000014